【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
記録媒体を収納すると共に装置本体に対して着脱可能とされた記録媒体収納部と、該記録媒体収納部を前記装置本体から引き出すための取手部とがそれぞれ別体に形成されて、前記記録媒体収納部と前記取手部とが互いに連結機構を用いて一体に構成される記録媒体収納容器であって、
前記記録媒体収納部の引出方向端部に形成された第１の縦壁部と、前記取手部に形成された第２の縦壁部とが互いに対向配置され、
前記第１の縦壁部から前記記録媒体収納部の引出方向に向かって突出した箱状部が、該第１の縦壁部の左右両端部にそれぞれ形成され、
前記記録媒体収納部の前記装置本体への着脱方向とは異なる方向から前記記録媒体収納部と前記取手部とを嵌合させる嵌合部と、当該嵌合の際に同時に前記記録媒体収納部と前記取手部とを互いに掛け止めする掛止部とを備えた前記連結機構が前記取手部の左右両端部に各一対ずつ形成されていることを特徴とする記録媒体収納容器。
【請求項２】
請求項１に記載の記録媒体収納容器であって、
前記嵌合部は、前記嵌合した状態で内側に位置する筒状部と外側に位置する筒状部とによって構成されていることを特徴とする記録媒体収納容器。
【請求項３】
請求項１または請求項２に記載の記録媒体収納容器であって、
前記嵌合部を前記装置本体への着脱方向とは異なる角度からネジ部材によって結合することを特徴とする記録媒体収納容器。
【請求項４】
請求項１乃至請求項３の何れか一項に記載の記録媒体収納容器であって、
前記嵌合部の嵌め込み方向を上下方向とし、前記取手部の嵌合部を前記記録媒体収納部の嵌合部に下側から嵌合させることにより構成されていることを特徴とする記録媒体収納容器。
【請求項５】
請求項１乃至請求項４の何れか一項に記載の記録媒体収納容器であって、
前記嵌合部は前記記録媒体収納部と前記取手部とのそれぞれに水平方向に少なくとも左右一対形成されていることを特徴とする記録媒体収納容器。
【請求項６】
請求項１乃至請求項５の何れか一項に記載の記録媒体収納容器であって、
前記掛止部は前記取手部と前記記録媒体収納部とのそれぞれに水平方向に少なくとも左右一対形成されていることを特徴とする記録媒体収納容器。
【請求項７】
請求項１乃至請求項６の何れか一項に記載の記録媒体収納容器であって、
前記嵌合部は一度嵌め込んだ後には前記記録媒体収納部と前記取手部との取り外しを抑制する逆止機構を備えていることを特徴とする記録媒体収納容器。
【請求項８】
請求項１乃至請求項７の何れか一項に記載の記録媒体収納容器を備えたことを特徴とする画像形成装置。
【手続補正２】
【補正対象書類名】明細書
【補正対象項目名】００１４
【補正方法】変更
【補正の内容】
【００１４】
上記課題を解決するために、請求項１の発明は、記録媒体を収納すると共に装置本体に対して着脱可能とされた記録媒体収納部と、該記録媒体収納部を前記装置本体から引き出すための取手部とがそれぞれ別体に形成されて、前記記録媒体収納部と前記取手部とが互いに連結機構を用いて一体に構成される記録媒体収納容器であって、前記記録媒体収納部の引出方向端部に形成された第１の縦壁部と、前記取手部に形成された第２の縦壁部とが互いに対向配置され、前記第１の縦壁部から前記記録媒体収納部の引出方向に向かって突出した箱状部が、該第１の縦壁部の左右両端部にそれぞれ形成され、前記記録媒体収納部の前記装置本体への着脱方向とは異なる方向から前記記録媒体収納部と前記取手部とを嵌合させる嵌合部と、当該嵌合の際に同時に前記記録媒体収納部と前記取手部とを互いに掛け止めする掛止部とを備えた前記連結機構が前記取手部の左右両端部に各一対ずつ形成されていることを特徴とする記録媒体収納容器としたものである。
【手続補正３】
【補正対象書類名】明細書
【補正対象項目名】００１５
【補正方法】変更
【補正の内容】
【００１５】
請求項２の発明は、請求項１の記録媒体収納容器であって、前記嵌合部は、前記嵌合した状態で内側に位置する筒状部と外側に位置する筒状部とによって構成されていることを特徴とする記録媒体収納容器としたものである。
【手続補正４】
【補正対象書類名】明細書
【補正対象項目名】００１６
【補正方法】変更
【補正の内容】
【００１６】
請求項３の発明は、請求項１または請求項２に記載の記録媒体収納容器であって、前記嵌合部を前記装置本体への着脱方向とは異なる角度からネジ部材によって結合することを特徴とする記録媒体収納容器としたものである。
【手続補正５】
【補正対象書類名】明細書
【補正対象項目名】００１７
【補正方法】変更
【補正の内容】
【００１７】
請求項４の発明は、請求項１乃至請求項３の何れか一項に記載の記録媒体収納容器であって、前記嵌合部の嵌め込み方向を上下方向とし、前記取手部の嵌合部を前記記録媒体収納部の嵌合部に下側から嵌合させることにより構成されていることを特徴とする記録媒体収納容器としたものである。
【手続補正６】
【補正対象書類名】明細書
【補正対象項目名】００１８
【補正方法】変更
【補正の内容】
【００１８】
請求項５の発明は、請求項１乃至請求項４の何れか一項に記載の記録媒体収納容器であって、前記嵌合部は前記記録媒体収納部と前記取手部とのそれぞれに水平方向に少なくとも左右一対形成されていることを特徴とする記録媒体収納容器としたものである。
【手続補正７】
【補正対象書類名】明細書
【補正対象項目名】００１９
【補正方法】変更
【補正の内容】
【００１９】
請求項６の発明は、請求項１乃至請求項５の何れか一項に記載の記録媒体収納容器であって、前記掛止部は前記取手部と前記記録媒体収納部とのそれぞれに水平方向に少なくとも左右一対形成されていることを特徴とする記録媒体収納容器としたものである。
【手続補正８】
【補正対象書類名】明細書
【補正対象項目名】００２０
【補正方法】変更
【補正の内容】
【００２０】
請求項７の発明は、請求項１乃至６の何れか一項に記載の記録媒体収納容器であって、前記嵌合部は一度嵌め込んだ後には前記記録媒体収納部と前記取手部との取り外しを抑制する逆止機構を備えていることを特徴とする記録媒体収納容器としたものである。
【手続補正９】
【補正対象書類名】明細書
【補正対象項目名】００２１
【補正方法】変更
【補正の内容】
【００２１】
請求項８の発明は、請求項１乃至請求項７の何れか一項に記載の記録媒体収納容器を備えたことを特徴とする画像形成装置としたものである。
【手続補正１０】
【補正対象書類名】明細書
【補正対象項目名】００４０
【補正方法】変更
【補正の内容】
【００４０】
また、爪部１４と縦壁部１５はトレイ部５と取手部６の連結機構の一部である掛止部Ｈを構成する。
取手部６の左右に爪部１４と縦壁部１５からなる掛止部Ｈがそれぞれ形成され、上下方向Ｄから挟み込みが行われるので、取手部６の縦壁部１５に対して引出方向Ｆに力が加わった時でも、掛止部Ｈがトレイ部５の縦壁部１０に掛け止められる。
【手続補正１１】
【補正対象書類名】明細書
【補正対象項目名】００４５
【補正方法】変更
【補正の内容】
【００４５】
また、嵌合部Ｋ１が筒状突起１６Ａ、筒状突起１８で構成され、嵌合部Ｋ２が筒状突起１７Ａ、筒状突起１９で構成されているので、両者を嵌合させた時に筒状突起１６Ａ、１８が二重となり、トレイ部５をコピー機械１から引き抜こうとする場合に、嵌合部Ｋ１、Ｋ２にせん断方向の力が加わっても容易に変形したり損傷することがなく、強固に連結できる。
【手続補正１２】
【補正対象書類名】明細書
【補正対象項目名】００４６
【補正方法】変更
【補正の内容】
【００４６】
また、トレイ部５と取手部６の連結機構は嵌合部Ｋ１、Ｋ２の他に掛止部Ｈとしての爪部１４、縦壁部１５を有するので、取手部６とトレイ部５と引き離そうとする力が加わった時に縦壁部１５の下縁部や両端部の変形が防止される。
【手続補正１３】
【補正対象書類名】明細書
【補正対象項目名】００６４
【補正方法】変更
【補正の内容】
【００６４】
図６、図７に示す給紙カセット７０では、トレイ部５０と取手部６０とを連結する連結機構は、筒状突起６４と筒状部５６からなる嵌合部Ｋ４と、掛止部Ｈ２を複数箇所備え、嵌合部Ｋ４及び掛止部Ｈ２はコピー機械１へのトレイ部５０の引出方向Ｆ或いは装着方向Ｉと一致しない下から上に向かう方向に移動させて嵌合するので、給紙カセット７０のコピー機械１への着脱時に取手部６０がトレイ部５０から脱落することがない。
【手続補正１４】
【補正対象書類名】明細書
【補正対象項目名】００６９
【補正方法】変更
【補正の内容】
【００６９】
Ｐ 記録媒体
７１ 装置本体
５，５０ トレイ部（記録媒体収納部）
６，６０ 取手部
３，４，７０ 給紙カセット（記録媒体収納容器）
Ｆ 引出方向
５Ｒ，５０Ｒ 引出方向端部
１０，５１ トレイ部の縦壁部（第１の縦壁部）
１５，６２ 取手部の縦壁部（第２の縦壁部）
１１，１２，５２ 箱状部
Ｋ１，Ｋ２，Ｋ３，Ｋ４ 嵌合部
Ｈ，Ｈ２ 掛止部
１８，１９ 筒状突起（外側に位置する筒状部）
１６Ａ，１７Ａ 筒状突起（内側に位置する筒状部）
４０，５７ ネジ（ネジ部材）
３０ 鍔付き突起（逆止機構）
１，２ コピー機械（画像形成装置）
Ｆ，Ｉ 着脱方向
Ｄ 上下方向